(57)【要約】  システム100は、レンダリング装置120と、サーバ110と、ネットワーク130とを備える。サーバ上のコンテンツ・アイテムが、URLなどの各々のサーバ・コンテンツ位置特定子によって識別される。レンダリング装置は、局所コンテンツへのアクセスも有する。局所コンテンツのタイトルは、タイトルIDなどの各々の局所コンテンツ識別子と関連付けられる。システムは、各々がサーバ・コンテンツ位置特定子及び局所コンテンツ識別子を備える複数のブックマークを生成し、記憶することができる。レンダリング装置は、局所コンテンツ・アイテムと、局所コンテンツ・アイテムに関するサーバ・コンテンツ・アイテムとをレンダリングすることができる。レンダリング装置は、ブックマークの局所コンテンツ識別子に関連した局所コンテンツ・タイトルへのアクセスを有することを条件としてブックマークのサーバ・コンテンツ位置特定子によって示されるサーバ・コンテンツ・アイテムをレンダリングする。
2007501968.tif 000002
【特許請求の範囲】
【請求項１】
レンダリング装置と、サーバと、前記レンダリング装置と前記サーバとの間で通信を行うネットワークとを備えるシステムであって、
前記サーバは、以下「サーバ・コンテンツ」として表すコンテンツへのアクセスを有し、
別個にアクセス可能な、前記サーバ・コンテンツのアイテムは、URLなどの各々のサーバ・コンテンツ位置特定子によって識別され、
前記レンダリング装置は、以下「局所コンテンツ」として表す更なるコンテンツへのアクセスを有し、
前記局所コンテンツのタイトルは、各々の局所コンテンツ識別子と関連付けられ、
前記レンダリング装置は、前記局所コンテンツのアイテムをレンダリングし、該局所コンテンツ・アイテムに関するサーバ・コンテンツ・アイテムをレンダリングするよう動作し、
前記システムは、各々のサーバ・コンテンツ・アイテムを識別する複数のブックマークを生成し、記憶するよう動作し、各ブックマークは、サーバ・コンテンツ位置特定子及び局所コンテンツ識別子を備え、
前記レンダリング装置は、ブックマークの前記サーバ・コンテンツ位置特定子によって示されるサーバ・コンテンツ・アイテムを、前記ブックマークの前記局所コンテンツ識別子に関連付けられる局所コンテンツ・タイトルへのアクセスを有することを条件としてレンダリングするよう動作することを特徴とするシステム。
【請求項２】
請求項1記載のシステムであって、
前記レンダリング装置は、記憶されるブックマークが、かかるブックマークによって示されるサーバ・コンテンツのレンダリングに選択可能であるユーザに提示されるユーザ・インタフェースを備えることを特徴とするシステム。
【請求項３】
請求項1記載のシステムであって、
ブックマークが、該ブックマークの前記局所コンテンツ識別子に関連付けられる局所コンテンツ・タイトルへのアクセスを前記レンダリング装置が有する場合のみ選択可能であることを特徴とするシステム。
【請求項４】
請求項1記載のシステムであって、
前記レンダリング装置は、ブックマークを、該ブックマークの前記各々の局所コンテンツ識別子によって編成されるユーザに提示するユーザ・インタフェースを備えることを特徴とするシステム。
【請求項５】
請求項1記載のシステムであって、
前記レンダリング装置は、前記ブックマークの前記局所コンテンツ識別子に関連付けられる前記局所コンテンツ・タイトルをレンダリングすることに同期して、ブックマークの前記サーバ・コンテンツ位置特定子によって示されるサーバ・コンテンツ・アイテムをレンダリングするよう動作することを特徴とするシステム。
【請求項６】
請求項5記載のシステムであって、
別個にアクセス可能な前記局所コンテンツのアイテムが、時間表示子などの各々の局所コンテンツ位置特定子によって識別され、
ブックマークが、局所コンテンツ位置特定子によって示される位置で前記局所コンテンツ・タイトルの前記レンダリングを開始することを可能にする局所コンテンツ位置特定子を備えることを特徴とするシステム。
【請求項７】
請求項1記載のシステムであって、
前記ブックマークが、前記レンダリング装置のユーザを識別するユーザID及び/又は前記レンダリング装置のユーザのファミリーを識別するファミリーIDを備えることを特徴とするシステム。
【請求項８】
請求項7記載のシステムであって、
前記ユーザ・インタフェースが、前記ブックマークの前記ユーザID/ファミリーIDによって編成される前記記憶されるブックマークを提示するよう動作することを特徴とするシステム。
【請求項９】
請求項1記載のシステムであって、
前記ブックマークは、パレンタル・レベル表示子を備え、
前記レンダリング装置は、ブックマークを、該ブックマークの前記パレンタル・レベル表示子が前記レンダリング装置のパレンタル・レベル設定に一致する場合のみに提示すること及び/又はブックマークによって示される遠隔アイテムをレンダリングすることを行うよう動作することを特徴とするシステム。
【請求項１０】
請求項1記載のシステムであって、
該システムは、ユーザからの命令に応じてブックマークを生成し、記憶するよう動作し、
前記生成されるブックマークは、現在レンダリングされているサーバ・コンテンツを識別するサーバ・コンテンツ位置特定子と、現在アクセス可能な局所コンテンツ・アイテムと関連付けられる局所コンテンツ識別子とを備えることを特徴とするシステム。
【請求項１１】
請求項1記載のシステムであって、
該システムは、ブックマークを自動的に生成するよう動作することを特徴とするシステム。
【請求項１２】
請求項11記載のシステムであって、
該システムは、サーバ・コンテンツ・アイテムのブックマークを、サーバ・コンテンツ・アイテムのレンダリングを終結させて前記サーバ・コンテンツ・アイテムのレンダリングの再開を可能にする旨の命令に応じて生成するよう動作することを特徴とするシステム。
【請求項１３】
請求項11記載のシステムであって、
該システムは、サーバ・コンテンツ・アイテムのブックマークを、レンダリングするようサーバ・コンテンツ・アイテムをユーザが選択することに応じて生成し、ブックマークの履歴リストを作成するよう動作することを特徴とするシステム。
【請求項１４】
請求項1記載のシステムであって、
前記レンダリング装置は、アクセス可能な局所コンテンツ・タイトルの真正性を検証し、該検証の陽性の結果によってのみブックマークの前記サーバ・コンテンツ位置特定子によって示されるサーバ・コンテンツ・アイテムをレンダリングするよう動作することを特徴とするシステム。
【請求項１５】
請求項1記載のシステムであって、
局所コンテンツ・タイトルが、媒体識別子を備える取り外し可能な記憶媒体上に記憶され、
前記局所コンテンツ識別子が前記媒体識別子を備えることを特徴とするシステム。
【請求項１６】
請求項1記載のシステムにおいて用いるレンダリング装置であって、
前記ブックマークを生成するよう動作することを特徴とするレンダリング装置。
【請求項１７】
請求項1記載のシステムにおいて用いるサーバであって、
前記ブックマークを記憶するよう動作することを特徴とするサーバ。
【請求項１８】
ネットワークによってアクセス可能なサーバにおけるコンテンツへのブックマークを生成する方法であって、
前記コンテンツに対して局所的なレンダリング装置によってレンダリングするうえでアクセス可能なコンテンツのタイトルに関連付けられる局所コンテンツ識別子を取り出す工程と、
前記局所コンテンツ・タイトルに関する別個にアクセス可能な、前記サーバ・コンテンツのアイテムを識別する、URLなどのサーバ・コンテンツ位置特定子を取り出す工程と、
該サーバ・コンテンツ位置特定子及び前記局所コンテンツ識別子を備えるブックマークを生成し、記憶する工程とを備えることを特徴とする方法。
【請求項１９】
ネットワークによってアクセス可能なサーバにおけるコンテンツをアクセスする方法であって、
前記コンテンツに対して局所的なレンダリング装置によってレンダリングするうえでアクセス可能なコンテンツのタイトルに関連付けられる局所コンテンツ識別子と、
前記局所コンテンツ・タイトルに関する別個にアクセス可能な、前記サーバ・コンテンツのアイテムを識別する、URLなどのサーバ・コンテンツ位置特定子とを備えるブックマークを取り出す工程と、
前記ブックマークの前記局所コンテンツ識別子に関連付けられる前記局所コンテンツ・タイトルへのアクセスを有することを条件として前記ブックマークの前記サーバ・コンテンツ位置特定子によって示されるサーバ・コンテンツ・アイテムをレンダリングする工程とを備えることを特徴とする方法。
【請求項２０】
コンピュータ・プログラムであって、
請求項18及び/又は請求項19記載の方法をプロセッサに行わせるよう動作することを特徴とするコンピュータ・プログラム。
【発明の詳細な説明】
【技術分野】
【０００１】
本発明は、レンダリング装置と、サーバと、レンダリング装置とサーバとの間の通信を行うネットワークとを備えるシステムに関する。レンダリング装置は、局所コンテンツと、サーバからのコンテンツとをレンダリングすることができる。サーバ・コンテンツをブックマーキングすることができる。
【背景技術】
【０００２】
新たな家電製品形態が引き続き開発されている。多くの努力が、コンピュータ技術システムと家庭用娯楽システムとの収斂に焦点が当てられている。重要な領域としては、局所的に入手可能な高品質コンテンツと、インターネットから取り出されるコンテンツとをマージすることによる、インタアクティブなアプリケーションや、拡充機能がある。eDVDはそうした、ウェブ・コンテンツがDVDディスク上のコンテンツに直接関係している、ウェブ・サイトのウェブ・コンテンツにDVD（ディジタル多用途ディスク又はディジタル・ビデオ・ディスク）ディスクがリンクした技術である。DVD上のコンテンツは、ビデオ
コンテンツ及びオーディオ・コンテンツを備え得る。eDVDは、インターネット技術によって提供される利点（例えば、相互作用性、動的アップデート）とともにDVDによって提供される高品質のビデオ・データ及びオーディオ・データに対する高速アクセスを備える。例えば、eDVDによって、局所DVDをHTMLウェブ・ページによって拡充することが可能になる。国際公開第00/63915号はそうした、WWWウェブ・ブラウザをDVDレンダリング装置に一体化させるeDVDシステムを記載している。ブラウザによってアクセス可能なサイト上の情報に相当するユニフォーム・リソース・ロケータ（URL）情報は、DVDデータ内のフィールドに記憶される。そうした相当するURLリンクを有するDVDエレメントをユーザが駆動させると、ウェブ・ブラウザはそのサイトから指し示される情報を表示する。HTMLメニューや他のブラウザ実施機能をユーザが駆動させると、DVDシステムは、メニューに規定されるDVDデータ部分をアクセスする。このように形成することによって、双方向通信を行うようにしている、すなわち、ブラウザにおけるHTMLがDVDエレメントを制御することができ、その逆も同様である。ウェブ情報とDVDコンテンツとの間にリンクを有することによって、DVD情報のレンダリングと同期をとってウェブ・コンテンツを提示することができる。DVDプレイヤにおけるブラウザは、従来のウェブ・ブラウザに基づいたものであり得る。ウェブ・コンテンツは、インターネットを介してアクセス可能なサーバに記憶される。
【発明の開示】
【発明が解決しようとする課題】
【０００３】
本発明の目的は、レンダリング装置によって局所的にアクセス可能なコンテンツのレンダリングと、サーバを介してアクセス可能なコンテンツのレンダリングとの間の一体化を拡充するというものである。
【課題を解決するための手段】
【０００４】
本発明の目的を満たすよう、システムは、レンダリング装置と、サーバと、レンダリング装置とサーバとの間の通信を行うネットワークとを備え、
サーバは、以下に「サーバ・コンテンツ」として表すコンテンツへのアクセスを有し、別個にアクセス可能なサーバ・コンテンツ・アイテムは、URLなどの各々のサーバ・コンテンツ位置特定子によって識別され、
レンダリング装置は、以下に「局所コンテンツ」として表す更なるコンテンツへのアクセスを有し、局所コンテンツのタイトルは、各局所コンテンツ識別子と関連付けられ、レンダリング装置は、局所コンテンツ・アイテムをレンダリングし、局所コンテンツ・アイテムに関するサーバ・コンテンツ・アイテムをレンダリングするよう動作し、
システムは、各々のサーバ・コンテンツ・アイテムを識別する複数のブックマークを生成し、記憶するよう動作し、各ブックマークは、サーバ・コンテンツ位置特定子とタイトル識別子とを備え、
レンダリング装置は、ブックマークの局所コンテンツ識別子に関連した局所コンテンツ・タイトルへのアクセスを有することを条件にブックマークのサーバ・コンテンツ位置特定子によって示されるサーバ・コンテンツ・アイテムをレンダリングするよう動作する。
【０００５】
本発明によれば、ブックマークは、サーバにあるコンテンツが関係する局所コンテンツ・タイトルへの参照によって拡張される。これによって、両方の局面の一体化がずっと円滑になることが可能になる。局所コンテンツは、CD、DVD、ブルーレイ・ディスク、半導体ストレージ等などの取り外し可能な記憶媒体上に記憶されることが好ましいが、例えば、UPnP（ユニバーサル・プラグ・アンド・プレイ）によって規定される、局所マルチメディア・サーバ内又はレンダリング装置内のハード・ディスクなどの固定記憶媒体上にも記憶し得る。局所コンテンツ識別子は、何れかの適切な形式をとり得るものであり、記憶タイプによって変わってくるものであり得る。例えば、DVDの場合、局所コンテンツ識別子は、DVDディスクのTitleID、PublisherID、PublisherGroupId、PublisherUniverseId、DiscID、DiscFamilyID、WebUniverseId及び（データ・ハッシュなどの）署名の、DVDディスクに関し、DVDディスク上に存在しているかDVDディスクと関連付けられている特定のコンテンツのうちの何れか又はそのコンテンツの何れかの組み合わせに基づくものであり得る。局所コンテンツ識別子は、（例えば、TitleIDを用いた）局所コンテンツ・タイトル又は、（例えば、TitleIDとDiscIDとの組み合わせを用いた）タイトルの一意のインスタンスをも一意に識別し得る。局所コンテンツ識別子とタイトルとの関連付けは一意でなくて良い。例えば、局所コンテンツ識別子は、タイトル群（例えば、スター・ウォーズ映画の全て）を一意に識別するDiscFamilyID、又はPublisherIDであり得る。１つのスター・ウォーズ映画への局所アクセスを有することによって、特定のアプリケーションでは、映画全てについての更なるウェブ・ベース・コンテンツへのユーザ・アクセスを付与し得る。
【０００６】
なお、ウェブ・ブラウザからの、サーバ・コンテンツのブックマーキングは、公知である。例えば米国特許出願公開第20020078144号に記載されている方法で、DVDコンテンツのブックマーキングを行うことも公知である。サーバ・コンテンツへのアクセスが局所コンテンツを条件とする、サーバ環境内の(通常、インターネット内のコンピュータ環境内の）コンテンツに局所環境内の（通常、CE装置内の）コンテンツをリンクするブックマークを用いることを、公知のシステムは記載していない。ユーザ・フレンドリ性を向上させることに加えて、リンクのブックマーキングによって、コンテンツの保護を向上させることが可能になる。例えば、サーバ・ベースのコンテンツへのアクセスをその場合、簡単な方法で、ウェブ・ベース・コンテンツが関係する、局所コンテンツへのアクセスを有するユーザ（例えば、コンテンツを備えるDVDを合法的に得た者）に制限することができる。そうしたDVDが、レンダリング装置に入れられるか他の方法でレンダリング装置によってアクセス可能な場合にのみ、更なるウェブ・ベース・コンテンツをレンダリングすることができる。よって、未支払いユーザが更なるウェブベースのゲーム又は情報からの便益を受けることができないようにすることができる。
【０００７】
従属項２の方策によれば、サーバ・コンテンツが関係するタイトル上のブックマークにおける更なる情報は、ブックマーク情報をユーザに提示するのに用いる。例として、例えば、その時点でアクセス可能な相当する局所コンテンツに鑑みて、レンダリングに利用可能なサーバ・コンテンツを指し示すブックマークのみが提示されるか強調表示される。その時点でレンダリングすることが可能でないサーバ・コンテンツを指し示すブックマークは、選択可能でない（例えば、区別したかたちで（「灰色にされて」）示されるか示されない）。システムのユーザにとって、このことは、ブックマークをたどることを単純化するという便益を備える。例えば、現在再生中の/現在実行中の、ディスクに、適切な（関する）、もののみがユーザ・インタフェース上に提示され、それによって単純な（例えば、矢印ベースの、ジャンプする強調表示の）相互作用が可能になる。
【０００８】
従属項４の方策によれば、ユーザ・インタフェースによって提示されるブックマークは、ブックマークの各々のタイトル識別子によって編成（例えば、ソート）される。
【０００９】
従属項５の方策によれば、好ましくは、レンダリング装置は、ブックマークのタイトル識別子によって識別される局所コンテンツ・タイトルのレンダリングと同期をとって、ブックマークのサーバ・コンテンツ位置特定子によって示されるサーバ・コンテンツ・アイテムをレンダリングする。ブックマークの選択によって、局所タイトルと、相当するサーバ・コンテンツとのレンダリングを引き起こすことができる。
【００１０】
従属項6の方策によれば、別個にアクセス可能な局所コンテンツ・アイテムは、各々の局所コンテンツ位置特定子によって識別される。ブックマークは、局所コンテンツ位置特定子によって示される位置での局所コンテンツ・タイトルのレンダリングの開始を可能にする局所コンテンツ位置特定子を有する。これによって、レンダリングの同期化の精度向上が可能になる。局所コンテンツ位置特定子は、URL(ユニフォーム・リソース・ロケータ)、URN（ユニフォーム・リソース名）、URI（ユニフォーム・リソース識別子）や、タイトル内の時間表示子などの何れかの他の適切な位置特定子や、それらの組み合わせなどの何れかの適切な形態をとり得る。
【００１１】
従属項７の方策によれば、ブックマークは、レンダリング装置のユーザを識別するユーザID及び/又はレンダリング装置のユーザのファミリーを識別するファミリーIDを有する。これによって、レンダリングの個人化が可能になる。ファミリーIDは例えば、ファミリー全体に適切な何れかのブックマークに用い得る。アクセスが無制限のウェブ・サイト部分を指し示すブックマークは、デフォールトでファミリーIDに割り当て得る。アクセスが制限された（例えば、成人向マテリアルを備える）部分を指し示すブックマークは好ましくは、デフォールトで、現在のユーザのユーザIDに割り当て得る。このようにしても、一般の人が関心を持つブックマークと、一ユーザのみが関心を持つブックマークとの間の分離を達成することができる。このことによって、ブックマーク・リストが短い状態に維持され、ブックマークをたどることが単純化される。
【００１２】
従属項8の方策によれば、記憶されるブックマークは、ブックマークのユーザID及び/又はファミリーIDによって編成して提示される。例えば、ブックマークは、ユーザ毎にソートしてもよく、現在のレンダリング・セッションについてレンダリング装置にユーザによって与えられるUserIDにユーザIDが一致する場合にのみ提示してもよい。このようにして、各種ユーザ（例えば、男性/女性、若年/高齢）を標的としかつそのユーザによって選択される一ウェブ・サイト（や種々のウェブ・サイト）の種々の部分に対するブックマークを別個に保持することができる。このことによって、関心のあるブックマークをユーザがすばやく取り出すことが可能になる。PCウェブ・ブラウザの場合と違って、ユーザ特定ブックマークへのアクセスを有するうえで完全なログイン手順をユーザは行わなくてよい。ブックマーク・リスト全体は単純に、現在のユーザのユーザIDによってフィルタリングすることができる。
【００１３】
従属項9の方策によれば、ブックマークは、パレンタル・レベル表示子を有する。レンダリング装置は、ブックマークのパレンタル・レベル表示子がレンダリング装置のパレンタル・レベル設定に一致する場合にのみブックマークを提示すること及び/又はブックマークによって示される遠隔アイテムをレンダリングすることを行うよう動作する。このようにして、局所レンダリングを制御し得るパレンタル設定が、遠隔コンテンツのレンダリングと同様に施される。
【００１４】
従属項10の方策によれば、システムは、ユーザの命令、例えば、リモコン上でのワンクリック操作に応じてブックマークを作成する。好ましくは、ブックマークは、現在レンダリングされているウェブ・コンテンツや現在アクセス可能な局所コンテンツ（例えば、DVDドライブにあるものか、DVDドライブからレンダリングされているものか、家庭内マルチメディア・サーバにあるもの）を結合する。
【００１５】
従属項11の方策によれば、システムはブックマークの少なくとも一部を自動的に生成する。これによって、CE環境とPC環境との更なる収斂が可能になる。特に、従属項12の方策によれば、システムは、サーバ・コンテンツ・アイテムのレンダリングを終結してサーバ・コンテンツ・アイテムのレンダリングの再開を可能にする旨の命令に応じてサーバ・コンテンツ・アイテムのブックマークを生成する。タイトルのレンダリングが再開すると、サーバ・コンテンツのレンダリングを自動的に再起動させることができる。
【００１６】
従属項13の方策によれば、システムは、レンダリングするようサーバ・コンテンツ・アイテムをユーザが選択することに応じてサーバ・コンテンツ・アイテムのブックマークを生成する。このようにして、ブックマークの履歴リストが自動的に作成され、それによって、既にレンダリングされたサーバ及び局所のコンテンツに単純に戻ることが可能になる。
【００１７】
従属項14の方策によれば、レンダリング装置は、アクセス可能な局所コンテンツ・タイトルの真正性を検証し、検証の結果が陽性である場合にのみブックマークのサーバ・コテンツ位置特定子によって示されるサーバ・コンテンツ・アイテムをレンダリングするよう動作する。このようにして、サーバ・コンテンツへのアクセスは、局所コンテンツを合法的に得たユーザに制限することができる。局所で利用する現在の記憶媒体の大半は、媒体の真正性の検証を可能にする。
【００１８】
本発明の目的を満たすよう、ネットワークを介してアクセス可能なサーバ内のコンテンツへのブックマークを生成する方法は、
コンテンツに対して局所的なレンダリング装置によってレンダリングするようアクセス可能なコンテンツ・タイトルに関連付けられる局所コンテンツ識別子を取り出す工程と、
局所コンテンツ・タイトルに関する、別個にアクセス可能なサーバ・コンテンツ・アイテムを識別する、URLなどのサーバ・コンテンツ位置特定子を取り出す工程と、
サーバ・コンテンツ位置特定子及び局所コンテンツ識別子を備えるブックマークを生成し、記憶する工程とを有する。
【００１９】
本発明の目的を満たすよう、ネットワークを介してアクセス可能なサーバ内のコンテンツをアクセスする方法は、
コンテンツに対して局所的なレンダリング装置によってレンダリングするうえでアクセス可能なコンテンツのタイトルに関連した局所コンテンツ識別子と、
局所コンテンツ・タイトルに関連した、別個にアクセス可能なサーバ・コンテンツ・アイテムを識別する、URLなどのサーバ・コンテンツ位置特定子とを有するブックマークを取り出す工程と、
ブックマークの局所コンテンツ識別子と関連した局所コンテンツ・タイトルへのアクセスを有することを条件として、ブックマークのサーバ・コンテンツ位置特定子によって示されるサーバ・コンテンツ・アイテムをレンダリングする工程とを備える。
【発明を実施するための最良の形態】
【００２０】
本発明のこれらや他の局面は、以下に説明する実施例から明らかであり、その実施例を参照しながら明らかになるものである。
【実施例】
【００２１】
図１は、本発明によるシステム100の構成図を示す。システムは、サーバ110及びレンダリング装置120を有する。サーバとレンダリング装置はネットワーク130を介して通信することができる。ネットワークは、インターネットなどのワイド・エリア・ネットワークであってもよいが、家庭内ネットワークなどのローカル・エリア・ネットワークであってもよく、それらの組み合わせであってもよい。特定の実施例では、システムは、サーバが1つ又は複数のウェブ・サイトへのアクセスを備えるインターネット・サーバであり、レンダリング装置がDVDプレイヤを有する、（WebDVDシステムとしても呼ばれる）eDVDシステムであり得る。
【００２２】
レンダリング装置は、局所コンテンツへのアクセスを有し、このコンテンツをレンダリングすることができる。通常、コンテンツは、ディジタル画像を備えるディジタルのオーディオ・コンテンツ/ビデオ・コンテンツである。図１の例では、局所コンテンツは、光記憶装置（例えば、CD、DVD、ブルーレイ）や半導体メモリ（例えば、フラッシュ・メモリ）などの取り外し可能な記憶媒体160に記憶される。DVDドライブなどの、媒体用の場所を、レンダリング装置内に備え得る。局所コンテンツは、1つ又は複数のコンテンツ・タイトル（すなわち、別個に識別可能な、DVD映画、オーディオCD等などのコンテンツ）を有する。各タイトルは、局所コンテンツ識別子と関連付けられる。例えば、DVDの場合、TitleID、PublisherID、PublisherGroupId、DiscID及びDiscFamilyIDの、DVDディスクに関し、DVDディスク上に存在しているか、DVDディスクと関連付けられている特定のコンテンツのうちの何れか又はそのコンテンツの何れかの組み合わせに基づくものであり得る。これらの識別子は全て、DVD仕様に規定されている。本明細書では、要約のみを表すこととする。すなわち、
TitleIDは、DVDディスクの主題コンテンツを識別し、同じ主題コンテンツを有する他のDVDディスクを区別しない。
【００２３】
PublisherIDは、DVDディスクの発行元を識別する。
【００２４】
PublisherGroupIdは、DVDディスクとの直接的な関係又は間接的な関係を有するDVD発行元群を識別する。例えば、該群は、DVDディスクの発行元を有し得るものであり、該群の他のメンバは、DVDディスクの発行元との関係を有し得る。
【００２５】
DiscIDは、DVDディスク自体を識別し、同じTitleIDを有する他のDVDディスクを区別する。DVDディスクの製造中にDiscIDがDVDディスク上に生成されない場合、DiscIDは、DVDディスクが書き換え可能ディスクである場合にDVDディスク上に後に作成し得る。
【００２６】
DiscFamilyIDは、主題、作者、発行元、発行年、発行国等などによって何れかのかたちで関係する関連DVDディスク・ファミリー（すなわち、「ディスク・ファミリー」）を識別する。例えば、DiscFamilyIDは、ハリー・ポッター映画を全て識別し得る。
【００２７】
他の同様な識別子によってこのリストを拡張することができる。適切な識別子が局所コンテンツ自体にない場合、例えば、特徴的なコンテンツ部分（例えば、ディジタル形式で符号化されるコンテンツのヘッダ情報）の（データ・ハッシュなどの）署名の形態で作成し得る。DVDディスク内に備えるデータのハッシング関数を、DVDディスク上に存在する何れかの「統計的に一意な」データから生成し得る。ハッシング関数の結果（又はそのテキスト表現）を局所コンテンツ識別子として用いることができる。統計的に一意のデータについて考えられる候補には、基本ボリューム記述子テーブル内のボリューム集合識別子フィールドにおける一意の数字などの、テーブル内にあるデータ・ポインタ、ifoファイル内などにあるコンテンツ及びメニューを規定するファイルにおけるフィールド、セル経過時間、セルの開始アドレス又は終了アドレス、ビデオ・オブジェクト・ユニット（VOBU）等の開始アドレスがある。
【００２８】
局所コンテンツのレンダリングに加えて、レンダリング装置は、局所コンテンツに関する、サーバ110からの更なるコンテンツも受信し、レンダリングすることができる。特に、サーバは、（例えば、インターネット上のウェブ・サイトを介して）局所タイトルに拡充機能を備える。この目的で、サーバ110は、記憶装置170に記憶し得る「サーバ・コンテンツ」へのアクセスを有する。そうした記憶装置は、（例えば、RAID装置の形態での）ハード・ディスクによって形成し得る。レンダリング装置によって別個にアクセス可能な局所コンテンツ・アイテムは、各々のサーバ・コンテンツ位置特定子によって識別される。何れかの適切な位置特定子を用い得る。例えば、ウェブ・サーバ上のコンテンツの場合、URL（ユニフォーム・リソース・ロケータ）を用い得る。実際の位置特定子の代わりに、名前などの、関連した記述子も用い得る。好ましくは、そうした記述子は、ユニフォーム・リソース名（URN）である。周知のネーミング・サービスを用いて、URLに対するURNを解決することができる。記述子を用いる利点は、一般的に、このようにして、コンテンツが位置を変え得るものであるという点と、同じコンテンツの、複数の複製をネットワーク上に記憶することができ、そのとき、解決サービスは、最も近い位置にクライアントを誘導する。更に、記述子を、短縮することができ、ユーザによってより簡単に読めるようにすることができる。
【００２９】
サーバは、多くの更なる情報部分を備え得るものであり、そのうちの一部はタイトルのコンテンツ部分との明らかな対応関係を有する。例えば、サーバは、その記憶装置170に、記憶媒体160上の元のタイトルよりも多い数の字幕や言語を記憶し得る。例えば、DVDは、種々の地域で種々のバージョンで供給されていることがあり得る。種々のバージョンが開発されるにつれ、より多くの言語や字幕も開発し得る。DVDは通常、3つ又は4つの言語と、最高8つの言語までの字幕とを備える一方、更なる情報を、サーバ上のウェブ・サイトに追加することができる。例えば、このことによって、米国においてオランダ人の視聴者が、米国地域コードを備える（が、オランダ語を備えず、オランダ語の字幕も備えない）DVDをオランダ語で視聴することが可能になる。好ましくは、サーバはその場合、相当する、タイトルのコンテンツ部分と、ウェブ・サイト上の情報との、同期をとること（「リンクを行うこと」）に関する情報を備える。理論的には、そうしたリンク情報もDVD内に埋め込むことができるが、より柔軟であるためにサーバがウェブ情報をコンテンツに結合するようにすることが好ましい。更なる例として、DVDが仕上げられ（、配布され）た後、更に多くの機能、例えば、議論されるコンテンツ部分にインタビューの一部がリンクする、監督、脚本家や俳優とのインタビューをウェブ・サイト上に記憶し得る。このようにして、（ウェブ・サイトから取り出される）インタビューを視聴する視聴者も、議論されるコンテンツ部分を視聴することができる。同様に、ゲームやクイズを作成し、タイトル・コンテンツへウェブ・ベースのコンテンツをリンクしてもしなくてもよいウェブ・サイトを介して入手可能にし得る。更なる拡充機能例としては、
（DVD上の元のメニューと比較して）拡充されたメニュー構造、
映画に関するアイテム（例えば、マトリックスのDVD上のマトリックス・リローデッドなどの、映画のシリーズの次バージョンの最新リリース）を購入するEコマース、
類似した映画タイトル/関連した映画タイトルのプロモーション、
俳優、監督等の最新プロフィールの提供がある。
【００３０】
上記のように、レンダリング装置は、局所コンテンツもサーバ・コンテンツもレンダリングすることができ、所望の場合、レンダリングの同期をとることができる。レンダリング装置は、テレビジョン・ディスプレイ150やアンプ/スピーカ150などの実際のレンダリング装置を備え得るが、同様に、適切なリンク（例えば、アナログ・オーディオ・リンク及び/又はアナログ・ビデオ・リンク、SPDIFなどのディジタル・オーディオ・リンク及び/又はDVIなどのディジタル・ビデオ・リンク）又はネットワーク（例えば、IEEE1394やワイファイ）を介したそうした装置にも接続し得る。
【００３１】
図２は、本発明によるシステムの更なる実施例を表す。図１において用いたものと同じ数字を用いて示すアイテムは、上記機能を有する。図２の実施例では、局所コンテンツが、更なる通信システム220を介してレンダリング装置に代わりに備えられるか、更に備えられる。この更なる通信システムは、レンダリング装置に、局所コンテンツへの高速アクセスを備える。特に、更なる通信システムは、コンピュータ・ローカル・エリア・ネットワーク（例えば、イーサネット（登録商標）、ワイファイ）やCEタイプのローカル・エリア・ネットワーク（例えば、IEEE1394）などのローカル・エリア通信システムである。そうしたシステムを用いれば、局所コンテンツは、レンダリング装置に備えられるか直接接続される記憶装置160に記憶しなくてよい。実際に、局所コンテンツは、ユニバーサル・プラグ・アンド・プレイ（UPnP）アークテクチャによって公知のマルチメディア・サーバ210などの局所サーバに記憶し得る。UPnP準拠ネットワークにおけるメディア・サーバは、ネットワークにおける他の装置がアクセスしたい各種コンテンツ（例えば、音楽、ビデオ、静止画像等）を備え得る。ユーザは、メディア・サーバ上に記憶されているオブジェクトを選択し、適切なレンダリング装置上（例えば、音楽オブジェクト用オーディオ・プレイヤ上、ビデオ・コンテンツ用TV上、静止画像用電子写真立て上、等）でそれを「再生」させることができる。UPnP  AVアーキテクチャによって、装置が、娯楽コンテンツの（MPEG2、MPEG4、DIVX、JPEG、JPEG2000、MP3、ATRAC、AC3、ウィンドウズ（登録商標）・メディア・アーキテクチャ(WMA)、ビットマップ（BMP）、NTSC、PAL、ATSC等などの）各種形式と、（IEC-61883/IEEE-1394、HTTP  GET、RTP、HTTP  PUT/POST、TCP/IP等などの）複数タイプの転送プロトコルとをサポートすることが可能になる。メディア・サーバのインスタンス例としては、VCR、CDプレイヤ、DVDプレイヤ、オーディオ・テープ・プレイヤ、静止画像カメラ、ビデオカメラ、ラジオ、TVチューナやセットトップボックスなどの伝統的な装置がある。メディア・サーバの更なる例としては、MP3サーバ、パーソナル・ビデオ・レコーダ（PVR）や、PCなどのホーム・メディア・サーバなどの新たなディジタル装置もある。局所コンテンツは、何れかの適切な方法で、例えば、取り外し可能記憶媒体240経由、サーバによる直接読み取り若しくはシステム内の別の装置経由、又は、放送システム260経由（例えば、ケーブル・ネットワーク経由、地上波放送経由や衛星方法経由）などの通信システム経由で局所サーバ210に供給し得る。局所サーバもタイトルをインターネットからダウンロードし得る。放送システムの場合、セットトップボックス250などの受信機を、例えば、DVD-MHP仕様によって公知のものなどの、放送コンテンツを受信するのに用い得る。局所サーバ210は、タイトル・コンテンツに対応する何れかの適切なタイトル識別子を記憶し得る。好ましくは、局所サーバは、コンテンツ及びタイトルを記憶する前にまず、コンテンツが真性であることを検証する。説明した、局所サーバの役割を、本発明によるレンダリング装置の役割と一体化させてもよいこととする。
【００３２】
図3は、レンダリング装置300の実施例の構成図を表す。通常、レンダリング装置は、装置における他のハードウェア機能及びソフトウェア機能を制御し、更なるソフトウェア機能を備えるプロセッサ310を備える。特に、プロセッサは、インターネット内のサーバをブラウジングし、そのサーバ上でアクセス可能なページをブラウジングするブラウザ機能を実行し得る。プロセッサ310は、組み込みマイクロプロセッサや組み込みマイクロコントローラなどの何れかの適切なプロセッサを用いて実施し得る。一部の機能は、ディジタル信号プロセッサ（DSP）を用いても備え得る。局所コンテンツは通常、符号化形式で、例えば、MP3符号化、MPEG2符号化、MPEG4符号化、JPEG符号化やDIVX符号化を用いて記憶される。局所コンテンツは、DVDドライブなどのメディア・リーダ340を介して受信し得る。符号化コンテンツ・ブロック（通常、そうしたブロックのストリーム）は、デコーダ330に供給され、デコーダはそれを、ビデオ及びオーディオのレンダリング装置や、記憶装置に適切な信号に変換する。レンダリング装置300は、好ましくは、サーバ110との双方向通信を行う通信インタフェースも備える。標準的な通信回線用の通常のモデムや、ブロードバンド・モデムをはじめとするいずれかの適切な通信ハードウェア/ソフトウェアをこのことに用い得る。双方向通信チャネルによって、インタアクティブ機能や更なるインタアクティブなオーディオ・コンテンツ/ビデオ・コンテンツなどの更なるサーバ・コンテンツのダウンロードが容易になる。それは、インタアクティブ・ビデオ、eコマース等などの、ネットワークを介して相互作用するアプリケーションも利用可能にする。好ましくは、インターネット・プロトコル、例えば、欧州MHP（マルチメディア・ホーム・プラットフォーム）「インターネット・アクセス・プロファイル」に規定されているものや、US  DASEプラットフォーム用のもの、を用いる。サーバから取り出される適切なオーディオ/ビデオ・データは、ユーザに提示するうえで適切な形式に（オーディオD/Aコンバータやグラフィックス・プロセッサなどの）コンバータによって変換されることになる。これは、デコーダ330によるデコードも備え得る。更なるコンテンツを、局所コンテンツと（例えば、字幕としてか、ピクチャ・イン・ピクチャとして）重ねてもよく、局所コンテンツと混ぜてもよい。デコーダの出力は、後にレンダリングするよう、ディスプレイ140若しくはスピーカ/アンプ150又は記憶装置などのレンダリング装置に供給し得る。特定のアプリケーションの場合、レンダリング装置は、デコーダ330をバイパスして符号化出力ストリームを備え得る。ディスプレイ装置は更にデコーダ機能を備えてもよく、符号化ストリームが後の段階で、更にデコードされるようレンダリング装置に再供給されてもよい。レンダリング装置のユーザ・インタフェース360によって、装置がユーザと相互作用することが可能になる。ユーザ・インタフェース360は、IRリモコンからの信号を受信する赤外線受信器、キーボードや、音声制御用マイクロフォンなどの何れかの適切なユーザ入力手段を備え得る。出力の場合、小型LCDディスプレイの使用、テレビジョンのディスプレイの使用や、可聴フィードバックなどの何れかの適切な形態も用��得る。レンダリング装置300は、メモリ320も備える。メモリは、プロセッサ310によって実行されるプログラムを記憶し得る。それは、（装置の種々のハードウェア/ソフトウェア機能の設定などの）データ、（オーディオ/ビデオ/画像などの）局所コンテンツや、以下に更に詳細に説明することとするブックマークも備え得る。好ましくは、メモリの少なくとも一部は、電源を切った後も保持すべきである情報を記憶するよう非揮発性のもの（例えば、ハード・ディスク、書き換え可能光記憶装置、フラッシュ）である。
【００３３】
ブックマーク
本発明によれば、システムはブックマークを生成することができる。各ブックマークは、かかるサーバ・コンテンツ・アイテムを識別する。この目的で、ブックマークは、サーバ・コンテンツ位置特定子を備える。例えば、ブックマークは、ウェブ・サイト上のコンテンツへのURLを備える。ブックマークは同様に、（上記で更に詳細に説明した）URNや、URI（ユニフォーム・リソース識別子）や他の、ネットワークによってアクセス可能なサーバ内のコンテンツを位置特定するうえで適切な他の識別子を備え得る。サーバ・コンテンツのブックマークは、ブックマークがURLに限定されるウェブ・ブラウザにおいて通常用いるものよりも広い意味を有するものとしてみることとする。サーバ・コンテンツ位置特定子は、
ページの形式がHTMLに制限されないが、原則的には別の形式のものであり得る、現行ウェブ・ブラウザによって公知である、ウェブ・サイト上の特定のページのブックマークと、
SMILなどのXML文書内にラップされ得る、特定メディア・コンテンツのブックマークと、
ストリーミング・メディア内の位置の、例えば、時間表示子を用いた、ブックマークと、
インタアクティブなチャット・アプリケーション内の場所の（例えば、局所コンテンツの再生を制御するチャット又は監督コメンタリを備えるウェブ・サイトへの）ブックマークとに限定されないが、それらのものであり得る。
【００３４】
ブックマークに示すサーバ・コンテンツ・アイテムは、サーバ・コンテンツ・アイテムが関係する局所コンテンツ・タイトルへのアクセスをレンダリング装置が有する場合にのみレンダリング装置によってレンダリングされる。この目的で、ブックマークは、局所コンテンツ・タイトルに関連付けられる局所コンテンツ識別子も備える。上記のように、局所コンテンツ識別子として用いるうえで適切な候補としては、コンテンツのTitleID、PublisherID、PublisherGroupId、DiscID、DiscFamilyIDやハッシュがある。そうした識別子の組み合わせも用い得る。局所コンテンツ識別子は、（例えば、titleID又は選択コンテンツ部分にわたるハッシュを用いれば）コンテンツに対して一意であり得るものであり、（例えば、titleID及びDiscIDを用いれば）コンテンツのインスタンスに対して一意であり得る。局所コンテンツ識別子は、（例えば、DiscFamilyIDやPublisherIDを用いれば）一意でなくてよい。規則を、局所コンテンツ識別子が一意であるべきかに関する規則と、肯定の場合、ベースにすべき識別子に関する規則とをブックマークの作成者に供給し得る。好ましくは、そうした規則は、関係するウェブ・サイト上に記憶されている。ブックマークがレンダリング装置によって作成される場合、この装置は、規則を読み取り、検証することができ、規則が満たされる場合、規則に従ったブックマークを作成することができる。特に、関係する局所コンテンツ・タイトルは、媒体識別子（例えば、DVDの場合、DiscID）を備える取り外し可能な記憶媒体上に記憶される場合、ブックマークを一意にするよう、かつ、真正性の単純なテストとして、局所コンテンツ識別子が媒体識別子を備えることが好ましい。
【００３５】
好ましい実施例では、ブックマークは、レンダリング装置、例えばメモリ320に記憶される。そのように所望される場合、ブックマークは、他の装置、例えば、局所マルチメディア・サーバ210の記憶装置230や、サーバ110などのウェブ・ベースのサーバの記憶装置にも記憶し得る。
【００３６】
図4はブックマークを記憶する構造の例を示す。この例では、ブックマークはテーブルの形式で記憶される。ブックマーク毎に、テーブルは相当する行を有する。図4の例では、３つの行410、420及び430がデータによって埋められる。各行（すなわち、ブックマーク）は、いくつかのフィールド（列）を備える。局所コンテンツ・タイトルを備えるフィールド404と、サーバ・コンテンツ位置特定子のフィールド406とを表す。連番などのブックマーク識別子を有するフィールド402も示す。このフィールドは任意のものである。図4の例では、局所コンテンツ・タイトルは、ユーザ判読可能データを備える。ブックマークを提示する場合、そうした判読可能な提示を記憶することが好ましい。局所コンテンツ・タイトルがアクセス可能であることを条件としてサーバ・コンテンツへのアクセスを備える目的では、局所コンテンツ・タイトルがコンピュータ判読可能表現に記憶されているということで十分である。これは、16進形式でのディジタル署名も備え得る。そのように所望される場合、コンピュータ判読可能表現も、人間が判読可能な表現も記憶し得る。図4の例では、サーバ・コンテンツ位置特定子は、関係するタイトルに相当する「ホームページ」を指し示すURLである。実用的には、URLは、ウェブ・サイト上の特定のコンテンツ（すなわち、サブページ）を指し示すものである。URLの追加又は代替として、URN、例えば「urn:isbn:088663475046569」を記憶し得る。URLが記憶されていない場合、ネーミング・サービスを用いてURNをURLに変換することができる。より一般的には、フィールド406はURI、すなわちユニフォーム・リソース識別子を有し得る。識別子（URL、URN、URN,…）は、あまり判読可能でないことがあり得るものであり、場合によっては長いことがあり得る。したがって、好ましくは、判読可能な形式を備える名前列も追加してユーザがたどることを容易にし得る。
【００３７】
好ましい実施例では、レンダリング装置のユーザ・インタフェース360は、記憶されるブックマークが、かかるブックマークによって示されるサーバ・コンテンツのレンダリングに選択可能であるユーザに提示される。例えば、ユーザ・インタフェースは、（非選択可能なものを提示せずに）選択可能なブックマークのみを提示してもよく、選択可能なものを強調表示してもよく、非選択可能なものを灰色にしてもよい。ブックマークの局所コンテンツ識別子に関連した局所コンテンツ・タイトルへのアクセスをレンダリング装置が有する場合にはブックマークは選択可能とみなし得る。非選択可能ブックマークをユーザが選択しようとする場合、ユーザに、関係する局所コンテンツをアクセス可能にする（例えば、関係するDVDを挿入する）ようプロンプトし得る。上記のように、サーバと局所コンテンツとの間の関係は1対１の関係であり得るが、1対１の関係でなくてもよい。規則が用いられる場合、上記のように、ブックマークを提示する時点で、例えば、ブックマークによって示すサーバによって記憶されているその時点で有効な規則にブックマークがなお従っているかをレンダリング装置は検証し得る。規則になお従うブックマークのみが選択可能なものとして提示される。
【００３８】
効果的には、ユーザ・インタフェースは、ブックマークの局所コンテンツ識別子によって編成されるユーザにブックマークを提示する。例えば、ブックマークは、局所コンテンツのタイトルによってソートし得る。これによって、特定のタイトル（例えば、現在挿入されているDVD）に関するブックマークをユーザがすばやく位置特定することが可能になる。好ましくは、局所コンテンツをレンダリング装置がアクセス可能にすると、そのコンテンツに関するブックマークが自動的に示される。よって、「ロード・オブ・ザ・リング」のDVDを挿入すると、そのDVD（又はDVDファミリー）にリンクされるそのウェブ・コンテンツへのブックマーク全てが示される。
【００３９】
好ましい実施例では、レンダリング装置は、ブックマークの局所コンテンツ識別子に関連した局所コンテンツ・タイトルのレンダリングとの同期をとって、ブックマークのサーバ・コンテンツ位置特定子によって示されるサーバ・コンテンツ・アイテムをレンダリングすることができる。ユーザがブックマークを選択することに応じて、レンダリング装置は、関係する局所コンテンツも遠隔コンテンツもアクセスする。好ましくは、（何れもストリーミングさせ得る）２つのコンテンツ源の正確な同期化を可能にするよう、更なるデータがレンダリング装置によって取り出される。そうしたデータは、関係するウェブ・ページから取り出し得る。ブックマークは、同期データの割り当てを規定する更なるフィールドも備え得る。何れのコンテンツ源のコンテンツ・ブロックもストリーミングされる場合には、同期データは、例えば、両方のストリームの時間表示子を結合させ得る。
【００４０】
ブックマークにおける局所コンテンツ識別子の記憶に加えて、別個にアクセス可能な局所コンテンツ・アイテムを、各々の局所コンテンツ位置特定子によって識別し得る。この更なる詳細は次に、ブックマークのフィールドにも記憶される。局所コンテンツ位置特定子は、時間表示子（「再生時間」）などの何れかの適切な形式をとり得る。そうした詳細表示を用いることによって、タイトルの初めではなく局所コンテンツ位置特定子によって示される位置での局所コンテンツ・タイトルのレンダリングの開始が可能になる。
【００４１】
好ましい実施例では、ブックマークは、レンダリング装置のユーザを識別するユーザID及び/又はレンダリング装置のユーザ・ファミリーを識別するファミリーIDとを備える。ファミリーIDは、例えば、ファミリー全体に適切な何れかのブックマークに用い得る一方、特定のユーザIDが、関係するユーザが主関心を持つブックマークに用いられる。ユーザIDは、ブックマーク・テーブルにおいてディジタル数字として記憶し得る。好ましくは、ユーザの名前などの判読可能な語が追加又は代替として用いられる。ファミリーIDは単に、特定の、場合によっては予約された、ユーザIDであり得る。例えば、それは、ユーザIDの最初の連番であってよく、「family」や「all」などの名前であってもよい。ユーザ・インタフェースは、ブックマークのユーザID及び/又はファミリーIDによって、記憶されたブックマークを編成し得る。例えば、それは、ユーザIDによってブックマーク・リストをソートしてもよく、現在の視聴者を表す、レンダリング装置における設定に一致するブックマークのみを提示してもよい。そうした、レンダリング装置のユーザID設定は、何れかの適切な方法で（例えば、ユーザにそのIDを規定させることによって、又は、場合によっては音声認識に基づいてユーザIDを何らかの方法で推定/認識することによって）レンダリング装置によって取得し得る。
【００４２】
システムを更に拡充するよう、ブックマークは、パレンタル・レベル表示子を備え得る。レンダリング装置は、この更なる情報を用いて、ブックマークを提示すること及び/又はブックマークによって示される遠隔アイテムをレンダリングすることを行うか否かを決めることができる。レンダリング装置は、そのパレンタル・レベル設定がそれを可能にする、すなわち、レンダリング装置のパレンタル・レベル設定がブックマークのパレンタル・レベル表示子に「一致」する、ことを条件としてそうした処理を行うようにし得る。何れかの適切なタイプのパレンタル・レベルを用い得る。例えば、ブックマークにおけるパレンタル・レベル設定が、「U-制限なし」である場合、アクセスを常に付与してよい。ブックマークにおけるパレンタル・レベル設定が、「PG-保護者の指導が望ましい」である場合、制限なしのコンテンツやPGのコンテンツをレンダリングするのにレンダリング装置を用い得るということをレンダリング装置の設定は示すものである。同様に、ブックマークにおけるパレンタル・レベル設定が成人指定の場合、成人指定のコンテンツを（、更には、暗黙的には他のコンテンツ全ても、）レンダリングするのにレンダリング装置を用い得るということをレンダリング装置の設定は示すものである。
【００４３】
多くの場合、ブックマークを生成し、記憶するうえでのトリガは、ユーザからの動作である。例えば、ユーザから明示的な命令がユーザ・インタフェースを介して受信される。リモコンには、ブックマークの「ワンクリック」での生成及び記憶を行うよう別個のボタンン（機械ボタン又は、ディスプレイ上で選択可能な論理ボタン）を装備し得る。生成されるブックマークはその場合、現在レンダリングされているサーバ・コンテンツ・アイテムを識別する少なくともサーバ・コンテンツ位置特定子と、現在アクセス可能な局所コンテンツ・アイテムに関連した局所コンテンツ識別子とを備える。特に、局所コンテンツ識別子は、局所ドライブに局所コンテンツを備えるディスクの適切な識別子から導き出すことができる。局所コンテンツも現在再生されている場合、局所コンテンツ識別子は、上記のような詳細局所コンテンツ位置特定子を備え得る。任意的には、作成時点で、装置を現在用いているユーザのユーザIDなどのレンダリング装置の設定をブックマークに複製し得る。遠隔コンテンツをアクセスするのに必要なパレンタル・レベルなどの、遠隔コンテンツに関連した設定もサーバから複製し得る。レンダリング装置は、デフォールトで、アクセスが制限されない遠隔コンテンツ部分を指し示す、新たに作成されるブックマークに、ファミリーＩＤに相当するユーザＩＤ値を与え得る。アクセスが制限される（、例えば、成人向マテリアルを備える）部分を指し示すブックマークは好ましくは、デフォールトで、現在のユーザのユーザＩＤに割り当てられる。ユーザは、何れかの適切な方法で局所タイトルに関するサーバ・コンテンツを位置特定し得る。例えば、ユーザは、公知の方法でインターネットをブラウジングしてもよく、インターネットをサーチしてもよい。特に、局所コンテンツは、場合によっては興味深いサイトへのリンクを備え得る。又、別個のサーバが、特定の局所コンテンツ・タイトルのリンク情報を備え得る。逆の方法も考えられる。すなわち、インターネット内のサーバは、それが更なるコンテンツを備える局所タイトルを示し得る。
【００４４】
追加又は代替として、システムは、ブックマークを自動的に生成するよう動作する。例えば、ブックマークが、サーバ・コンテンツ・アイテムのレンダリングを終結させる旨の命令に応じてサーバ・コンテンツ・アイテムに対して作成される。これによって、サーバ・コンテンツ・アイテムのレンダリングの再開が可能になる。そうした「終結」ブックマークは、システムによって別個に処理し得る。それは、ユーザに向けて表示しなくてよく、次のセッションで（例えば、局所コンテンツを備えるディスクがもう一度ドライブに挿入される場合に）再生を「自動的に」再開するのに用い得る。そのように所望される場合、「自動的な」再開は、ユーザの承認によってか、ユーザの明示的な「再開」命令によって、例えば、リモコン上の再開ボタンを押すことによって、のみ行われる。ブックマークは、ユーザが、レンダリングするよう新たなサーバ・コンテンツ・アイテムを選択する都度にも、自動的に作成し得る。このようにして、ブックマークの履歴リストが作成される。ブックマークを記憶するうえでのメモリ要件を軽減するよう、そうした履歴リスト上のブックマークの数を、例えば、10個のブックマークに、制限し得る。履歴リストを現行ユーザに割り当て、それによって個人履歴リストをもたらし得る。ユーザ・インタフェースでは、好ましくは、履歴リストは、ユーザのイニチアチブで作成されるブックマークとは別個に保持される。
【００４５】
上記のように、サーバ・コンテンツへのアクセスは、特定の局所コンテンツがアクセス可能であることを条件とする。特に、ユーザが用いることができる（例えば、ユーザが支払いを済ませた）局所コンテンツが存在する場合のみ、更なるサーバ・コンテンツがアクセス可能である。今日では、多くの局所コンテンツを容易に複製することができる。好ましい実施例では、レンダリング装置は、アクセス可能な局所コンテンツ・タイトルの真正性を検証することができる。徐々に、コンテンツは、真正性を検証することができるように配布されている。レンダリング装置はこの手法を用いることができる。取り外し可能な記憶媒体（例えば、DVD）上のコンテンツの配布又は、（例えば、限定受信方式を用いた）放送若しくは直接的な電子転送を介したコンテンツの配布を行うそうした手法は、周知である。真正性が検証される場合のみ、レンダリング装置は、ブックマークのサーバ・コンテンツ位置特定子によって示すサーバ・コンテンツ・アイテムをレンダリングすることになる。
【００４６】
好ましくは、ブックマークが作成され、レンダリング装置に記憶される（か、レンダリング装置によって直接、アクセス可能な記憶装置に記憶される）。しかし、ネットワークにおけるサーバもそうしたサービスを備え得る。これは原則的に、局所タイトル全てとネットワークにおけるサーバ内のコンテンツ全てとについてサービスを（場合によってはこのサービスへの支払いに対して）備える汎用サーバであり得る。更なるコンテンツを供給する局所コンテンツについてのサービスのみをサーバが備えるということも考えられる。例えば、ハリー・ポッターのウェブ・サーバは、ハリー・ポッターのDVDがレンダリング装置に挿入される場合のみサービスを備える。
【００４７】
局所コンテンツがレンダリング装置によってアクセス可能にされる（例えば、ディスクが挿入される）場合、局所コンテンツ識別子をレンダリング装置によって判定し得る。それは更に、ファイルとブックマークとを確かめて、コンテンツのブックマークが利用可能なものとして存在するかをみることができる。肯定の場合、それは、ブックマークを自動的に提示してもよく、ユーザが起動させ得る、ディスプレイ上の「ブックマーク」ボタンを示してもよい。ボタンを起動させることによって、適切なブックマークの表示を引き起こすことができる。同様に、ブックマークの履歴リストを、直接提示してもよく、履歴リストが関係するディスクを挿入することによってボタンによって提示してもよい（例えば、履歴リストを、現在挿入されているディスクのDiscIDによってフィルタリングしてもよい。）。
【００４８】
なお、上記実施例は、本発明を限定するよりも例証するものであり、当業者は、本特許請求の範囲記載の範囲から逸脱することなく多くの代替的な実施例を企図することができる。本特許請求の範囲では、括弧の間にある何れかの参照符号は、本特許請求の範囲を限定するものとして解されないこととする。動詞「備える」及びその活用形を用いていることは、本特許請求の範囲記載のもの以外の構成要素や工程が存在することを排除するものでない。構成要素に先行する冠詞「a」又は「an」は、そうした構成要素が複数存在することを排除するものでない。本発明は、いくつかの別個の構成要素を備えるハードウェアによって実施し得るものであり、適切にプログラムされるコンピュータによって実施し得る。いくつかの手段を列挙する装置クレームでは、それらの手段のうちのいくつかを同一のハードウェア・アイテムによって実施し得る。単に、お互いに異なる従属項において特定の方策が記載されていることは、これらの方策の組み合わせを効果的に用いることができないということを示すものでない。
【図面の簡単な説明】
【００４９】
【図１】本発明によるシステムを示す構成図である。
【図２】本発明を用い得る更に拡張されたシステムを示す構成図である。
【図３】本発明によるレンダリング装置を示す構成図である。
【図４】ブックマーク・ファイルの構造の例を示す図である。
【図１】
2007501968.tif 000003
【図２】
2007501968.tif 000004
【図３】
2007501968.tif 000005
【図４】
2007501968.tif 000006
【国際調査報告】
2007501968.tif 000007
2007501968.tif 000008
2007501968.tif 000009
2007501968.tif 000010